(57)【要約】【課題】配管の振動を抑制しつつ、配管の熱伸びを許容することができる配管支持治具等を提供する。【解決手段】配管５と設置面６との間に設けられ、配管５を支持する配管支持治具１において、配管５の軸方向の移動を許容する一方で、配管５の径方向の移動を規制する弾性部材１３と、弾性部材１３に連結され、配管５と設置面６との間の支持体となる剛性部材１２とを備え、弾性部材１３は、設置面６側に設けられると共に、剛性部材１２は、配管５側に設けられ、弾性部材１３は、設置面６と剛性部材１２とを連結し、剛性部材１２を配管５の軸方向に移動可能に変形する一方で、剛性部材１２を配管５の径方向へ移動不能に規制し、剛性部材１２は、配管５と弾性部材１３との間の支持体となっており、剛性部材１２は、配管５と設置面６とを結ぶ方向において、弾性部材１３よりも長く形成されている。【選択図】図１
2015175434.tif 000002
【特許請求の範囲】
【請求項１】
配管と設置面との間に設けられ、前記配管を支持する配管支持治具において、
前記配管の軸方向の移動を許容する一方で、前記配管の径方向の移動を規制する変位部と、
前記変位部に連結され、前記配管と前記設置面との間の支持体となる剛性部と、を備えることを特徴とする配管支持治具。
【請求項２】
前記変位部は、前記設置面側に設けられると共に、前記剛性部は、前記配管側に設けられ、
前記変位部は、前記設置面と前記剛性部とを連結し、前記剛性部が前記配管の軸方向に移動可能に変形する一方で、前記剛性部が前記配管の径方向への移動が規制される弾性部材であり、
前記剛性部は、前記配管と前記弾性部材との間の支持体となる剛性部材であり、
前記剛性部材は、前記配管と前記設置面とを結ぶ方向において、前記弾性部材よりも長く形成されていることを特徴とする請求項１に記載の配管支持治具。
【請求項３】
前記剛性部は、前記設置面側に設けられ、
前記変位部は、前記配管の周囲に設けられ、前記配管の軸方向に移動する一方で、前記配管の径方向への移動が規制されるスライドブッシュであり、
前記剛性部は、前記スライドブッシュと前記設置面との間の支持体となる剛性部材であることを特徴とする請求項１に記載の配管支持治具。
【請求項４】
前記配管と前記スライドブッシュとの間に設けられ、前記配管に固定されるスリーブを、さらに備えることを特徴とする請求項３に記載の配管支持治具。
【請求項５】
配管と、
前記配管と設置面との間に設けられ、前記配管を支持する請求項１から４のいずれか１項に記載の配管支持治具と、を備えることを特徴とする配管構造物。
【発明の詳細な説明】
【技術分野】
【０００１】
本発明は、配管を設置面に支持するための配管支持治具及び配管構造物に関するものである。
【背景技術】
【０００２】
従来、配管を支持架台に支持するための配管支持装置が知られている（例えば、特許文献１参照）。この配管支持装置は、ワイヤ保持部材と、ホルダ部材と、ワイヤ保持部材とホルダ部材とを連結するワイヤロープとを備えている。ワイヤ保持部材は、支持架台上に設置され、複数のワイヤ挿通孔が形成されている。ホルダ部材は、ワイヤ保持部材と平行に配置され、複数のワイヤ挿通孔が形成されている。ワイヤロープは、ワイヤ保持部材とホルダ部材との各ワイヤ挿通孔に交互に挿通させることで、配管の外周において螺旋状に成形される。また、ワイヤロープの両端部は、ホルダ部材の両端部から引き出され、クランプ部材を介して配管に取り付けられる。これにより、配管支持装置は、螺旋状に成形するワイヤロープの剛性に基づいて配管を支持し、また、配管の制振、防震を図っている。
【先行技術文献】
【特許文献】
【０００３】
【特許文献１】特開２００５−２５７０１８号公報
【発明の概要】
【発明が解決しようとする課題】
【０００４】
ところで、配管内部には、高温の流体が流通する場合がある。このとき、配管内部を流体が流通することによって配管が振動すると共に、流体の熱によって配管が管軸方向に熱伸びしてしまう。このとき、特許文献１に記載の配管支持装置では、配管の振動を抑制できるものの、配管の熱伸びを許容する構成となっていない。一方で、配管の熱伸びを許容するために、ワイヤロープの剛性を低くしてしまうと、配管の振動を抑制することが困難となる。
【０００５】
そこで、本発明は、配管の振動を抑制しつつ、配管の熱伸びを許容することができる配管支持治具及び配管構造物を提供することを課題とする。
【課題を解決するための手段】
【０００６】
本発明の配管支持治具は、配管と設置面との間に設けられ、前記配管を支持する配管支持治具において、前記配管の軸方向の移動を許容する一方で、前記配管の径方向の移動を規制する変位部と、前記変位部に連結され、前記配管と前記設置面との間の支持体となる剛性部と、を備えることを特徴とする。
【０００７】
この構成によれば、変位部により、配管の軸方向の移動を許容する一方で、配管の径方向の移動を規制することができる。そして、剛性部により、配管と設置面との間を好適に支持することができる。このため、配管が径方向に振動しようとしても、変位部により配管の径方向の移動が規制されるため、配管の径方向の振動を抑制することができる。また、配管が軸方向に熱伸びする場合、変位部により配管の軸方向の移動が許容されるため、配管の熱伸びを許容することができる。
【０００８】
また、前記変位部は、前記設置面側に設けられると共に、前記剛性部は、前記配管側に設けられ、前記変位部は、前記設置面と前記剛性部とを連結し、前記剛性部が前記配管の軸方向に移動可能に変形する一方で、前記剛性部が前記配管の径方向への移動が規制される弾性部材であり、前記剛性部は、前記配管と前記弾性部材との間の支持体となる剛性部材であり、前記剛性部材は、前記配管と前記設置面とを結ぶ方向において、前記弾性部材よりも長く形成されていることが好ましい。
【０００９】
この構成によれば、剛性部材を弾性部材に比して長くすることができるため、配管が径方向に振動する場合であっても、配管と弾性部材との間の剛性部材によって、配管を押さえ込むことができる。一方で、配管が熱伸びする場合には、弾性部材が変形することで、配管の熱伸びを許容することができる。
【００１０】
また、前記剛性部は、前記設置面側に設けられ、前記変位部は、前記配管の周囲に設けられ、前記配管の軸方向に移動する一方で、前記配管の径方向への移動が規制されるスライドブッシュであり、前記剛性部は、前記スライドブッシュと前記設置面との間の支持体となる剛性部材であることが好ましい。
【００１１】
この構成によれば、配管が径方向に振動する場合であっても、スライドブッシュと設置面との間に剛性部材を設けることによって、配管を押さえ込むことができる。一方で、配管が熱伸びする場合には、スライドブッシュが配管の軸方向の移動を許容することで、配管の熱伸びを許容することができる。
【００１２】
また、前記配管と前記スライドブッシュとの間に設けられ、前記配管に固定されるスリーブを、さらに備えることが好ましい。
【００１３】
この構成によれば、配管とスライドブッシュとの間にスリーブを設けることにより、スライドブッシュは、スリーブの外周面に沿って配管の軸方向に移動することができる。このため、配管の外周面に凹凸が形成されていても、配管の軸方向への移動を滑らかにすることができる。
【００１４】
本発明の配管構造物は、配管と、前記配管と設置面との間に設けられ、前記配管を支持する上記の配管支持治具と、を備えることを特徴とする。
【００１５】
この構成によれば、配管支持治具により、配管の径方向の振動を抑制しつつ、配管の軸方向への熱伸びを許容できるため、配管周りを好適に支持することができる。
【図面の簡単な説明】
【００１６】
【図１】図１は、実施例１に係る配管支持治具を模式的に表した側面図である。
【図２】図２は、実施例１に係る配管支持治具を模式的に表した正面図である。
【図３】図３は、実施例２に係る配管支持治具を模式的に表した側面図である。
【図４】図４は、実施例３に係る配管支持治具を模式的に表した側面図である。
【発明を実施するための形態】
【００１７】
以下に、本発明に係る実施例を図面に基づいて詳細に説明する。なお、この実施例によりこの発明が限定されるものではない。また、下記実施例における構成要素には、当業者が置換可能かつ容易なもの、あるいは実質的に同一のものが含まれる。さらに、以下に記載した構成要素は適宜組み合わせることが可能であり、また、実施例が複数ある場合には、各実施例を組み合わせることも可能である。
【実施例１】
【００１８】
図１は、実施例１に係る配管支持治具を模式的に表した側面図である。図２は、実施例１に係る配管支持治具を模式的に表した正面図である。実施例１の配管支持治具１は、プラントに配設される配管５を、設置面６に取り付けて（接続して）、配管５を支持するものであり、配管５と配管支持治具１とによって配管構造物１００が構成されている。ここで、配管５の内部には、例えば、高温流体が流通しており、これにより、配管５は、その径方向に振動したり、また、高温流体によって与えられる熱により、熱伸びしたりする。このため、配管支持治具１は、配管５の径方向における振動を抑制しつつ、配管５の熱伸びを許容可能な構成となっている。以下、図１及び図２を参照して、配管支持治具１について具体的に説明する。
【００１９】
配管支持治具１は、配管５を保持する保持具１１と、保持具１１から設置面６に向かって設けられる剛性部材１２と、剛性部材１２と設置面６とを連結する弾性部材１３とを備えている。
【００２０】
保持具１１は、配管５の外周を囲むＵ字部材２１と、Ｕ字部材２１を固定する固定部材２２とを含んで構成されている。このとき、Ｕ字部材２１は、配管５を挟んで、設置面６とは反対側に配置され、固定部材２２は、配管５を挟んで、設置面６側に配置されている。
【００２１】
Ｕ字部材２１は、円柱形状の部材を、配管５の外周に沿って円弧状に曲げることで、Ｕ字状に形成されている。そして、Ｕ字部材２１は、その両端部が設置面６側を向いており、配管５を挟んで設置面６側に設けられる固定部材２２に締結固定される。
【００２２】
固定部材２２は、Ｕ字部材２１の両端部を固定すると共に、剛性部材１２に接合される部材となっている。固定部材２２は、配管５側に設けられる配管側プレート２２ａと、剛性部材１２側に設けられる剛性部材側プレート２２ｂと、配管側プレート２２ａと剛性部材側プレート２２ｂとを連結する連結プレート２２ｃとで、コ字状（つまり、角筒の一側面が開口となる形状）に形成されている。
【００２３】
配管側プレート２２ａには、Ｕ字部材２１の両端部が挿通される一対の挿通孔２４が形成され、この一対の挿通孔２４に挿通されたＵ字部材２１の両端部を、ナット２５を用いて配管側プレート２２ａに締結する。これにより、配管５は、Ｕ字部材２１及び固定部材２２によって保持される。剛性部材側プレート２２ｂは、剛性部材１２に接合されており、固定部材２２と剛性部材１２とを一体に接合している。そして、剛性部材側プレート２２ｂは、連結プレート２２ｃを介して配管側プレート２２ａに連結されているため、Ｕ字部材２１及び固定部材２２によって保持された配管５は、剛性部材１２と一体となる。
【００２４】
剛性部材１２は、角柱形状、または内部が中空となる角筒形状に形成されている。剛性部材は、例えば、鋼板を用いて構成され、その一端が保持具１１の固定部材２２に接合される一方で、その他端が弾性部材１３に接合されている。この剛性部材１２は、配管５と設置面６との間を所定の剛性で支持することで、配管５の径方向における振動を抑え込んでいる。
【００２５】
弾性部材１３は、剛性部材１２に接合されるバネ部１３ａと、設置面６に固定される固定部１３ｂとで、Ｔ字状に形成されている。ここで、配管５と設置面６とを結ぶ方向において、剛性部材１３は、弾性部材１２よりも長く形成されている。
【００２６】
バネ部１３ａは、例えば、鋼板を用いて構成される方形状の板バネであり、その一端が剛性部材１２に接合される一方で、その他端が固定部１３ｂに接合される。また、バネ部１３ａは、その板面が、配管５の軸方向に直交する面となるように配置されている。このため、バネ部１３ａは、配管５の軸方向へ向かって弾性変形可能となる一方で、配管５の径方向に弾性変形不能となっている。
【００２７】
固定部１３ｂは、例えば、方形状の鋼板であり、その板面が設置面６に沿って配置されている。固定部１３ｂは、配管５の軸方向の中央にバネ部１３ａの他端が位置するように、バネ部１３ａに接合される。また、固定部１３ｂには、弾性部材１３を設置面６に固定するための固定孔３１が貫通形成されており、この固定孔３１にボルト３２が挿通され、設置面６に締結されることで、固定部１３ｂが設置面６に固定される。
【００２８】
上記の配管支持治具１により支持される配管５が、内部を流通する高温流体によって径方向に振動する場合、弾性部材１３は、配管５の径方向に弾性変形不能となっていることから、配管５は、弾性部材１３、剛性部材１２及び保持具１１により、径方向における移動が規制される。このため、配管支持治具１は、配管５の径方向における振動を押さえ込むことができる。
【００２９】
一方で、上記の配管支持治具１により支持される配管５が、内部を流通する高温流体によって軸方向に熱伸びする場合、弾性部材１３は、配管５の軸方向に弾性変形可能となっていることから、剛性部材１２及び保持具１１が弾性部材１３の弾性変形に伴って移動することにより、配管５は、軸方向における移動が許容される。このため、配管支持治具１は、配管５の軸方向における熱伸びを許容することができる。
【００３０】
以上のように、実施例１によれば、弾性部材１３により、配管５の軸方向の移動を許容する一方で、配管５の径方向の移動を規制することができる。そして、剛性部材１２により、配管５と設置面６との間を好適に支持することができる。このため、配管５が径方向に振動しようとしても、弾性部材１３により配管５の径方向の移動が規制されるため、配管５の径方向の振動を抑制することができる。また、配管５が軸方向に熱伸びする場合、弾性部材１３により配管５の軸方向の移動が許容されるため、配管５の熱伸びを許容することができる。
【００３１】
また、実施例１によれば、配管５と設置面６とを結ぶ方向において、剛性部材１２を弾性部材１３に比して長くすることができるため、配管５が径方向に振動する場合であっても、配管５と弾性部材１３との間の剛性部材１２によって、配管５を押さえ込むことができる。
【実施例２】
【００３２】
次に、図３を参照して、実施例２に係る配管支持治具５０について説明する。図３は、実施例２に係る配管支持治具を模式的に表した側面図である。なお、実施例２では、重複した記載を避けるべく、実施例１と異なる部分について説明し、実施例１と同様の構成である部分については、同じ符号を付して説明する。
【００３３】
図３に示すように、実施例２の配管支持治具５０は、配管５を保持するスライドブッシュ５１と、スライドブッシュ５１と設置面６とを連結する剛性部材５２とを備えている。
【００３４】
スライドブッシュ５１は、配管の外周に設けられる外筒６１と、外筒６１と配管５との間に設けられる複数の鋼球６２と、複数の鋼球６２を保持する保持部材６３と、保持部材６３の両側に設けられる一対のサイドリング６４とを含んで構成されている。
【００３５】
外筒６１は、円筒形状に形成され、その内部に配管５が収容されている。複数の鋼球６２は、外筒６１の内周面と配管５の外周面との間において、外筒６１の内周面及び配管５の外周面を転接するように設けられている。保持部材６３は、外筒６１と配管５との間に設けられている。保持部材６３は、複数の鋼球６２を収容する収容部が形成され、この収容部に収容した複数の鋼球６２の転接を許容しつつ、複数の鋼球６２の逸脱を規制している。一対のサイドリング６４は、外筒６１内部の軸方向両側に設けられ、外筒６１の内周に沿って円環状に形成されている。一対のサイドリング６４は、外筒６１の中心側に突出して形成されており、保持部材６３の両側に設けられることで、保持部材６３の外筒６１からの逸脱を規制している。
【００３６】
このように構成されたスライドブッシュ５１は、配管５を保持すると共に、配管５の軸方向の移動を許容しつつ、配管５の径方向における移動を規制する。
【００３７】
剛性部材５２は、スライドブッシュ５１と設置面６との間に設けられている。剛性部材５２は、その一端がスライドブッシュ５１の外筒６１に接合され、その他端が設置面６に固定されている。剛性部材５２は、スライドブッシュ５１に接合される剛性部５２ａと、設置面６に固定される固定部５２ｂとを含んで構成されている。
【００３８】
剛性部５２ａは、スライドブッシュ５１と固定部５２ｂとの間を所定の剛性で支持することで、配管５の径方向及び軸方向におけるスライドブッシュ５１の移動を抑え込んでいる。
【００３９】
固定部５２ｂは、例えば、方形状の鋼板であり、その板面が設置面６に沿って配置されている。固定部５２ｂは、その中央に剛性部５２ａの他端が位置するように、剛性部５２ａに接合される。また、固定部５２ｂは、図示しない締結部材によって、設置面６に締結されることで、剛性部材５２が設置面６に固定される。
【００４０】
上記の配管支持治具５０により支持される配管５が、内部を流通する高温流体によって径方向に振動する場合、スライドブッシュ５１は、配管５の径方向における移動を規制していることから、配管５は、スライドブッシュ５１及び剛性部材５２により、径方向における移動が規制される。このため、配管支持治具５０は、配管５の径方向における振動を押さえ込むことができる。
【００４１】
一方で、上記の配管支持治具５０により支持される配管５が、内部を流通する高温流体によって軸方向に熱伸びする場合、スライドブッシュ５１は、配管５における移動を許容している。このため、配管支持治具５０は、配管５の軸方向における熱伸びを許容することができる。
【００４２】
以上のように、実施例２によれば、配管５が径方向に振動する場合であっても、スライドブッシュ５１と設置面６との間に剛性部材５２を設けることによって、配管５を押さえ込むことができる。一方で、配管５が熱伸びする場合には、スライドブッシュ５１が配管５の軸方向の移動を許容することで、配管５の熱伸びを許容することができる。
【実施例３】
【００４３】
次に、図４を参照して、実施例３に係る配管支持治具７０について説明する。図４は、実施例３に係る配管支持治具を模式的に表した側面図である。なお、実施例３でも、重複した記載を避けるべく、実施例１及び２と異なる部分について説明し、実施例１及び２と同様の構成である部分については、同じ符号を付して説明する。
【００４４】
図４に示すように、実施例３の配管支持治具７０は、実施例２の配管支持治具５０に、スリーブ７１をさらに備えた構成となっている。スリーブ７１は、円筒形状に形成され、配管５とスライドブッシュ５１との間に設けられ、配管５の外周面に取り付け固定されている。このため、スライドブッシュ５１は、スリーブ７１の外周に設けられる。つまり、スライドブッシュ５１の複数の鋼球６２は、スリーブ７１の外周に転接する。
【００４５】
以上のように、実施例３によれば、配管５とスライドブッシュ５１との間にスリーブ７１を設けることにより、スライドブッシュ５１は、スリーブ７１の外周面に沿って配管５の軸方向に相対的に移動することができる。このため、配管５の外周面に凹凸が形成されていても、配管５の軸方向への移動を滑らかにすることができる。
【符号の説明】
【００４６】
１  配管支持治具
５  配管
６  設置面
１１  保持具
１２  剛性部材
１３  弾性部材
１３ａ  バネ部
１３ｂ  固定部
２１  Ｕ字部材
２２  固定部材
２２ａ  配管側プレート
２２ｂ  剛性部材側プレート
２２ｃ  連結プレート
２４  挿通孔
２５  ナット
３１  固定孔
３２  ボルト
５０  配管支持治具（実施例２）
５１  スライドブッシュ
５２  剛性部材
５２ａ  剛性部
５２ｂ  固定部
６１  外筒
６２  鋼球
６３  保持部材
６４  サイドリング
７０  配管支持治具（実施例３）
７１  スリーブ
１００  配管構造物
【図１】
2015175434.tif 000003
【図２】
2015175434.tif 000004
【図３】
2015175434.tif 000005
【図４】
2015175434.tif 000006